(57)【要約】【課題】申込書等を紙入れから取り出す労力を軽減する。【解決手段】紙載せ台１２は紙４を載せる。紙抑え１４は、紙４の説明部分４ｂを抑える。よって、紙４を収容できる。しかも、下敷き１６は紙４の記入部分４ａの下に配置されているため、紙４の記入部分４ａに書き込みがしやすい。さらに、下敷き１６は紙抑え１２と重なり合わないため、下敷き１６が紙抑え１４と干渉せず、下敷き１６を配置しやすい。このように、紙入れ１０に紙を入れたまま、記入部分４ａに書き込みができるため、紙４を取り出す労力を軽減することができる。【選択図】　図３
2004082399.tif 000002
【特許請求の範囲】
【請求項１】
紙を載せるための紙載せ台と、
紙の一部分を抑えるための紙抑えと、
前記紙抑えに抑えられていない紙の露出部分の下に配置され、前記紙抑えと重なり合わない下敷きと、
を備えた紙入れ。
【請求項２】
請求項１に記載の紙入れであって、
前記下敷きの端部は前記紙載せ台に固定され、
前記下敷きは前記端部を中心にして回転する、
紙入れ。
【請求項３】
請求項１または２に記載の紙入れであって、
前記紙載せ台は、紙が載せられる面と反対側の裏面に、紙を収容できるポケットを有する、
紙入れ。
【請求項４】
請求項１ないし３のいずれか一項に記載前記紙載せ台を結合する結合部を有し、
前記結合部は、一つの前記紙載せ台の前記紙抑えが配置される側と、他の前記紙載せ台の前記下敷きが配置される側とを結合する、
バインダ。
【請求項５】
請求項４に記載のバインダであって、
前記結合部を折り目として、一つの前記紙載せ台と他の前記紙載せ台とを向かい合わせるように折り畳むことができる、
バインダ。
【発明の詳細な説明】
【０００１】
【発明の属する技術分野】
本発明は、紙入れに関する。
【０００２】
【従来の技術】
従来より、サービスの申込などにあたって申込書を記入させることが行われている。申込書は紙入れ等に入れて保管しておく。申込を行いたい人（「客」という）が現れると、営業担当者等が紙入れ等から申込書を取り出して客に渡す。客は、渡された申込書を記入して営業担当者等に渡す。
【０００３】
【発明が解決しようとする課題】
しかしながら、営業担当者等にとっては、申込書を紙入れ等から取り出して客に渡すことは煩雑な作業である。
【０００４】
また、営業担当者等によっては、客にパンフレットなどの広告を見せて申し込みへの意欲をかきたて、申し込ませることも多い。パンフレットもまた、紙入れ等に入れて保管しておくことになるが、パンフレットの取り出しもまた煩雑な作業である。
【０００５】
そこで、本発明は、申込書等を紙入れから取り出す労力を軽減することを課題とする。
【０００６】
【課題を解決するための手段】
請求項１に記載の発明は、紙を載せるための紙載せ台と、紙の一部分を抑えるための紙抑えと、紙抑えに抑えられていない紙の露出部分の下に配置され、紙抑えと重なり合わない下敷きとを備えたように構成される。
【０００７】
上記のように構成された紙入れによれば、紙載せ台は紙を載せる。紙抑えは、紙の一部分を抑える。よって、紙を収容できる。しかも、下敷きは露出部分の下に配置されているため、紙の露出部分に書き込みがしやすい。さらに、下敷きは紙抑えと重なり合わないため、下敷きが紙抑えと干渉せず、下敷きを配置しやすい。
【０００８】
このように、紙入れに紙を入れたまま、露出部分に書き込みができるため、紙を取り出す労力を軽減することができる。
【０００９】
請求項２に記載の発明は、請求項１に記載の発明であって、下敷きの端部は紙載せ台に固定され、下敷きは端部を中心にして回転するように構成される。
【００１０】
上記のように構成された紙入れによれば、端部を中心にして下敷きを回転させることにより、紙を紙抑えから取り外しあるいは収容することが容易になる。
【００１１】
請求項３に記載の発明は、請求項１または２に記載の発明であって、紙載せ台は、紙が載せられる面と反対側の裏面に、紙を収容できるポケットを有するように構成される。
【００１２】
上記のように構成された紙入れによれば、紙載せ台の裏面に、例えば広告等を入れることにより、広告の機能も果たすことができる。
【００１３】
請求項４に記載の発明は、請求項１ないし３のいずれか一項に記載紙載せ台を結合する結合部を有し、結合部は、一つの紙載せ台の紙抑えが配置される側と、他の紙載せ台の下敷きが配置される側とを結合するように構成される。
【００１４】
請求項５に記載の発明は、請求項４に記載の発明であって、結合部を折り目として、一つの紙載せ台と他の紙載せ台とを向かい合わせるように折り畳むことができるように構成される。
【００１５】
【発明の実施の形態】
以下、本発明の実施の形態を図面を参照して説明する。
【００１６】
図１は、本発明の実施の形態にかかるバインダ１の平面図（図１（ａ））および正面図（図１（ｂ））である。
【００１７】
バインダ１は、紙入れ１０、２０、結合部３０、ペン差し４０を備える。
【００１８】
紙入れ１０は、紙載せ台１２、紙抑え１４、下敷き１６、ポケット１８を有する。
【００１９】
紙載せ台１２は、紙を載せるための台である。紙載せ台１２は、長方形状であり、例えばＡ４サイズである。
【００２０】
紙抑え１４は、紙載せ台１２に載せられた紙を抑える透明なシートである。紙抑え１４は、ほぼ長方形状をしており、開放端１４ａにおいては紙載せ台１２に固定されておらず、他の三辺において紙載せ台１２に固定されている。紙抑え１４の開放端１４ａは、紙載せ台１２のほぼ中央に配置される。紙抑え１４の他の三辺は、ほぼ紙載せ台１２の辺に重なっている。
【００２１】
下敷き１６は、紙載せ台１２に載せられた紙の下に配置される長方形状の下敷きである。下敷き１６は、端部１６ａ、下敷き部分１６ｂを有する。端部１６ａは、紙載せ台１２の長辺に固定されており、柔らかい素材（例えば、軟質塩化ビニール）でできている。下敷き部分１６ｂは、端部１６ａを中心にして回転する（図１（ｂ）の実線矢印参照）。下敷き部分１６ｂは、硬い素材（例えば、硬質塩化ビニール）でできている。下敷き部分１６ｂの端部１６ａと向かい合う長辺１６ｃは開放端１４ａの付近にあり、向かい合っている。なお、下敷き１６は紙抑え１４と重なり合わない。
【００２２】
ポケット１８は、紙載せ台１２の裏面（紙抑え１４および下敷き１６が設けられている表面の裏になっている面）に配置されている。
【００２３】
紙入れ２０は、紙載せ台２２、紙抑え２４、下敷き２６を有する。紙入れ２０の構造は紙入れ１０と同様である。
【００２４】
結合部３０は、紙入れ１０の長辺（紙抑え１４側）と紙入れ２０の長辺（下敷き２６側）とを結合する。バインダ１は、結合部３０を折り目として、折り畳むことができる（図１（ｂ）の点線矢印参照）。結合部３０は、バインダ１の背表紙としての機能も果たす。
【００２５】
ペン差し４０は、紙載せ台２２の下辺に位置し、ボールペンなどのペンの先端を差すようになっている。
【００２６】
図２は、紙載せ台１２、２２に載せられる紙４の平面図である。紙４は、記入部分４ａ、説明部分４ｂを有する。記入部分４ａは、サービスを申し込む客等が申し込みに際して必要な事項を記入する部分である。例えば、記入欄４ａ１に氏名等を記入する。説明部分４ｂは、申し込みにあたって注意すべき事項が説明されている部分である。紙４は例えばＡ４サイズである。紙４を横長に配置した場合、記入部分４ａが上半分、説明部分４ｂが下半分に位置する。なお、紙４はカーボン紙などであり、記入した事項が何枚かの紙に複写されるようになっている。
【００２７】
図３は、バインダ１に紙４を収容した場合の平面図（図３（ａ））および正面図（図３（ｂ））である。
【００２８】
紙４の記入部分（露出部分）４ａは、紙抑え１４、２４に抑えられていない。記入部分４ａの下には、下敷き部分１６ｂ、２６ｂが配置されている。説明部分（一部分）４ｂは、紙抑え１４、２４に抑えられている。なお、図３（ｂ）に示すように、紙４は何枚も重ねられて紙入れ１０、２０に入れられている。下敷き部分１６ｂ、２６ｂは、紙４の内、上方に重ねられており、記入を要する数枚のものの下に配置される。下敷き部分１６ｂ、２６ｂは、紙４の内、下方に重ねられており、記入を要しない残りのものの上に配置される。図３（ｂ）の例では、紙４は、下敷き部分１６ｂ、２６ｂの上に一枚、下に二枚重ねられている。
【００２９】
図４は、バインダ１を結合部３０を折り目として折り畳んだときの平面図（図４（ａ））、および広告６を入れたときの平面図（図４（ｂ））である。
【００３０】
紙入れ１０の裏面のほぼ全面には透明なポケット１８が設けられており、その上部短辺が開放されている。ポケット１８には、広告６（例えば、パンフレット）を入れることができる。
【００３１】
次に、本発明の実施形態の動作を説明する。
【００３２】
まず、営業担当者はバインダ１を閉じた状態で広告６を客に見せ、申し込みを勧誘する（図４（ｂ）参照）。客が申し込む気になると、営業担当者は、バインダ１を開き、紙４の記入部分４ａへの記入を促す（図３（ａ）参照）。このとき、紙４はカーボン紙であり、二枚一組になっているものとする。このような紙４が十組紙載せ台１０に載せられているとする。ここで、営業担当者は、一番上の一組（二枚）の紙４の下に下敷き部分１６ｂを配置する（図３（ｂ）参照）。このとき、残りの九組の紙４の上に下敷き部分１６ｂが配置される。このようにすれば、残りの九組の紙４に記入事項が複写されるという事故を防止できる。
【００３３】
客は、透明な紙抑え１４を通して、説明部分４ｂに記載された注意事項を読む。そして、ペン差し４０からペンをとり、紙４の記入部分４ａへ記入する。下敷き部分１６ｂが紙４の下に配置されているため、客は筆圧を強くして、複写を確実にするように記入ができる。
【００３４】
営業担当者は、客の記入が終わると、記入済みの紙４を紙抑え１４から外して回収する。そして、下敷き部分１６ｂを端部１６ａを中心に回転させ（図１（ｂ）参照）、一番上の一組の未記入の紙４を紙抑え１４から外す。その後、下敷き部分１６ｂを端部１６ａを中心に回転させて元の位置に戻し、未記入の紙４を下敷き部分１６ｂの上かつ紙抑え１４の下に差し入れる（図３（ｂ）参照）。これにより、新たな客の申し込みに対応できる。
【００３５】
本発明の実施形態によれば、紙載せ台１２、２２は紙４を載せる。紙抑え１４、２４は、紙４の説明部分（一部分）４ｂを抑える。よって、紙入れ１０、２０に紙４を収容できる。しかも、下敷き１６、２６は記入部分（露出部分）４ａの下に配置されているため、紙４の記入部分（露出部分）４ａに書き込みがしやすい。さらに、下敷き１６、２６は紙抑え１４、２４と重なり合わないため、下敷き１６、２６が紙抑え１４、２４と干渉せず、下敷き１６、２６を配置しやすい。
【００３６】
このように、紙入れ１０に紙４を入れたまま、記入部分（露出部分）４ａに書き込みができるため、紙４を出し入れする労力を軽減することができる。
【００３７】
しかも、下敷き１６を端部１６ａを中心にして回転させることにより、紙４を紙抑え１４から取り外しあるいは収容することが容易になる。
【００３８】
さらに、紙載せ台１２の裏面に、広告６を入れることにより、広告の機能も果たすことができる。これにより、バインダ１を閉じた時は広告を見せながらの申し込みの勧誘ができ、バインダ１を開いた時は紙４の記入（申し込み）を客に促すことができ、営業活動が円滑に行える。
【図面の簡単な説明】
【図１】本発明の実施の形態にかかるバインダ１の平面図（図１（ａ））および正面図（図１（ｂ））である。
【図２】紙載せ台１２、２２に載せられる紙４の平面図である。
【図３】バインダ１に紙４を収容した場合の平面図（図３（ａ））および正面図（図３（ｂ））である。
【図４】バインダ１を結合部３０を折り目として折り畳んだときの平面図（図４（ａ））、および広告６を入れたときの平面図（図４（ｂ））である。
【符号の説明】
１　バインダ
４　紙
４ａ　記入部分（露出部分）
４ｂ　説明部分（一部分）
６　広告
１０、２０　紙入れ
１２　紙載せ台
１４　紙抑え
１６　下敷き
１６ａ　端部
１６ｂ　下敷き部分
１８　ポケット
３０　結合部
４０　ペン差し
【図１】
2004082399.tif 000003
【図２】
2004082399.tif 000004
【図３】
2004082399.tif 000005
【図４】
2004082399.tif 000006